(57)【要約】マッサージャが開示される。マッサージャの一実施形態は、第１の部分及び第２の部分を含む。第１の部分は、第１の端部及び第２の端部を備えており、該第１の端部と該第２の端部との間における該第１の部分の少なくとも一部が湾曲している。第１の連結装置が前記第１の端部に配設され及びマッサージ要素を受容するよう構成される。第２の連結装置が第２の端部に隣接して配設される。該第２の連結装置は、該マッサージャの前記第２の部分に第３の連結装置を取り付けて該第１及び第２の部分を結合させる。第２の部分は、前記第１の端部と前記第２の端部との間に延びる実質的に直線の部材からなり、前記第３の連結装置は前記第２の端部上に配設される。【選択図】図１３
2013532526.tif 000002
【特許請求の範囲】
【請求項１】
第１の部分及び第２の部分を備えたマッサージャであって、
該第１の部分が、
第１の端部及び第２の端部であって、該第１の端部と該第２の端部との間における該第１の部分の少なくとも一部が湾曲している、第１の端部及び第２の端部と、
前記第１の端部に隣接して配設された連結部分であって、該マッサージャの前記第２の部分における連結部分に取り付けられて該第１の部分と該第２の部分とを結合させるよう構成されている、連結部分と、
マッサージ要素を受容するよう構成されている、前記第２の端部に配設された連結部分とを備えており、
前記第２の部分が、
第１の端部と第２の端部との間に延びる実質的に直線の部材からなり、該第２の部分の前記連結部分が該第２の端部に配設されている、
マッサージャ。
【請求項２】
前記マッサージ要素がローラを備えている、請求項１に記載のマッサージャ。
【請求項３】
前記ローラがそこから延びる複数の突起を備えている、請求項２に記載のマッサージャ。
【請求項４】
前記ローラが、フレームに対して回転可能及び取り外し可能となるよう取り付けられたホイールからなる、請求項２に記載のマッサージャ。
【請求項５】
前記第１の部分の前記第１の端部における前記連結部分と前記第２の部分の前記第２の端部における前記連結部分とがねじ部分とテーパー部分とを備えており、該第１の部分と該第２の部分とがそれら連結部分を介して互いにねじ込むことができる、請求項１に記載のマッサージャ。
【請求項６】
前記第１の部分の前記第２の端部における前記連結部分と前記マッサージ要素とがねじ山を有しており、該マッサージ要素を該第１の部分の該第２の端部にねじ込むことが可能となっている、請求項１に記載のマッサージャ。
【請求項７】
前記第２の部分がハンドルを更に備えている、請求項１に記載のマッサージャ。
【請求項８】
前記部材が、該部材に結合された少なくとも１つのマッサージ要素を更に備えている、請求項１に記載のマッサージャ。
【請求項９】
前記第２の部分の第１の端部が、該第１の端部に結合することが可能なマッサージ要素を有している、請求項１に記載のマッサージャ。
【請求項１０】
前記マッサージ要素がボールを備えている、請求項９に記載のマッサージャ。
【請求項１１】
第１の部分及び第２の部分を備えたマッサージャであって、
該第１の部分が、第１の端部及び第２の端部を備えており、
前記第２の部分が、第１の端部と該第１の端部の反対側に配設された第２の端部とを備えており、該第２の端部がキャビティを備えており、前記第１の部分の前記第１の端部が該キャビティ内に受容可能となっている、
マッサージャ。
【請求項１２】
前記第１の部分の前記第１の端部にテーパーがつけられており、前記キャビティが、該第１の部分の該テーパーがつけられた該第１の端部を受容するよう構成されている、請求項１１に記載のマッサージャ。
【請求項１３】
前記キャビティが、少なくとも１つの突起を備えており、前記第１の部分の前記第１の端部が、少なくとも１つの溝を備えており、前記少なくとも１つの突起が該少なくとも１つの溝に受容可能となっている、請求項１１に記載のマッサージャ。
【請求項１４】
前記少なくとも１つの突起が細長い形状を有し、及び前記少なくとも１つの溝が該細長い突起を受容するよう細長い形状を有する、請求項１３に記載のマッサージャ。
【請求項１５】
前記第１の部分の前記第１の端部が孔を有しており、前記第２の部分の前記第２の端部が孔を有しており、それらの孔が、前記第１の部分が前記第２の部分に取り付けられた際に互いに整列し、それらの孔内に固定装置を受容することが可能となる、請求項１１に記載のマッサージャ。
【請求項１６】
前記固定装置がねじを備えている、請求項１５に記載のマッサージャ。
【請求項１７】
前記第２の部分の前記第１の端部における前記孔にねじ山が形成されている、請求項１６に記載のマッサージャ。
【請求項１８】
前記固定機構がシャフトを備えており、該シャフトが前記孔内に受容可能なものである、請求項１５に記載のマッサージャ。
【請求項１９】
前記固定機構がヘッドを備えており、該固定機構が前記孔内に配設された際に該ヘッドが前記第２の部分の前記第２の端部の外部に位置決め可能となる、請求項１５に記載のマッサージャ。
【請求項２０】
前記ヘッドがそこから伸びる少なくとも１つの突起を備えている、請求項１５に記載のマッサージャ。
【発明の詳細な説明】
【技術分野】
【０００１】
本出願は、2010年7月21日出願の「MASSAGER」と題するDaniel Hennesseyの米国仮出願第61/366,258号の優先権を主張するものである。
【背景技術】
【０００２】
身体用マッサージャは、単にマッサージャと称され、ユーザが自分自身の一部をマッサージすることを可能にする働きをするものである。マッサージャの中には、ボール又はその類が取り付けられたアームを有するものがある。ユーザは、該ボールを自分の筋肉にもみ込んで筋肉をマッサージする。
【発明の概要】
【発明が解決しようとする課題】
【０００３】
かかるマッサージャは、ユーザが自分の正面で該マッサージャを保持すると共に該ユーザの背面をマッサージするのに十分な大きさを有するため、大きなものとなる傾向がある。
【図面の簡単な説明】
【０００４】
【図１】マッサージャの一実施形態の平面図である。
【図２】図１のマッサージャの湾曲部分の一実施形態の平面図である。
【図３】図１のマッサージャの直線部分の一実施形態の平面図である。
【図４】別個の部分及び複数のマッサージ要素を示す、図１のマッサージャの斜視図である。
【図５】図４のボールマッサージ要素の一実施形態の側面図である。
【図６】図５のホイールの斜視図である。
【図７】図５の軸の斜視図である。
【図８】複数の突起を有するホイールタイプマッサージ要素の一実施形態の斜視図である。
【図９】孫の手形式のマッサージ要素の一実施形態の斜視図である。
【図１０】図１の連結装置の一実施形態の断面を示す側面図である。
【図１１】マッサージャの湾曲部分と直線部分との間の連結機構の一実施形態の側面図である。
【図１２】連結機構のもう１つの実施形態の端面図である。
【図１３】連結機構のもう１つの実施形態の斜視図である。
【図１４】図１３のマッサージャの直線部分の第２の端部の拡大図である。
【図１５】図１３のマッサージャの直線部分の第２の端部のもう１つの拡大図である。
【図１６】図１３のマッサージャの第１の端部を示す図である。
【図１７】図１６の反対側を示す図１３のマッサージャの第１の端部を示す図である。
【発明を実施するための形態】
【０００５】
マッサージャ100の一実施形態の平面図を図１に示す。該マッサージャ100は２つの部分を含み、これらを本書では第１の部分又は湾曲部分104及び第２の部分又は直線部分106と称す。該湾曲部分104は、該直線部分106から取り外すことが可能であり、以下で詳述するように該マッサージャ100の分解及び再組立を行うことができるようになっている。本書では直線部分及び湾曲部分以外の複数の部分を用いる場合があることに留意されたい。
【０００６】
湾曲部分104の一実施形態が図２に示されている。該湾曲部分104は、完全に湾曲していないことが可能である。図１及び図２に示すように、湾曲部分104は、直線部110及び湾曲部112を有することが可能である。図１及び図２に示す実施形態では、湾曲部分104は、第１の端部120と第２の端部122との間に延びており、直線部110及び湾曲部112を含む。
【０００７】
湾曲部分という用語は、第１の端部120と第２の端部122との間における実質的な湾曲を含む部分を意味している。図１及び図２に示す実施形態では、湾曲部112は、半径114により画定される半円形であり、実質的な湾曲を構成するものである。しかし、該湾曲部112は、かかる実質的なものである必要はなく、及び円形である必要はない。該湾曲部112は、マッサージャ100のユーザが以下で一層詳細に説明するように該マッサージャで該ユーザの背部に接触することができるだけの大きさを有している必要がある。実施形態によっては、湾曲部分は、該マッサージャのうちの45〜90°の半径を有する部分とすることが可能である。
【０００８】
湾曲部分104の第１の端部120又はその近傍には、該湾曲部分104を直線部分106に取り付けることを可能にする連結部が配設されている。図２の実施形態では、該連結部は、湾曲部分104を直線部分106におけるねじが切られた部分にねじ込むことを可能にするねじ部分126である。符号126は、連結部及びねじの両方に対して付与し得るものである。他の連結装置及び方法について以下で一層詳細に説明する。
【０００９】
湾曲部分104の第２の端部122もまた、その近傍に配設された連結部130を有するものであることに留意されたい。該連結部130は、以下で詳述するように該第２の端部122にマッサージ要素を固定する働きをするものである。図２の実施形態では、連結部130は、第２の端部122のタップが切られた部分である。該タップが切られた部分は、マッサージ要素に固定することができるボルト等のねじ付きロッドを受容するよう構成されている。マッサージャ100にマッサージ要素を固定するための他の方法及び装置については以下で一層説明する。
【００１０】
図２の湾曲部分104は、そこから延びる第１のハンドル134を有している。該第１のハンドル134は、該マッサージャ100を保持するために使用することが可能なものであり、又はユーザをマッサージするために使用することが可能なものである。該第１のハンドル134は、湾曲部112の凹曲面と逆方向に延びている。実施形態によっては、該第１のハンドル134は、湾曲部分104から取り外すことが可能である。該第１のハンドル134にはボール136が取り付けられている。該ボール136は、マッサージ要素として働くことが可能である。該ボール136はまた、該第１のハンドル134がユーザの手から滑るのを防止することにより、ユーザが該第１のハンドル134を保持するのを助ける働きをすることが可能である。実施形態によっては、ボール136は、取り外すことが可能であり、以下で詳述するように別のマッサージ要素と置換することが可能である。
【００１１】
湾曲部分104について説明したが、ここで直線部分106について説明する。図３を参照すると、直線部分106の平面図が示されており、該直線部分106は、第１の端部150と第２の端部152との間に延びている。該第２の端部152は、湾曲部分104の連結部126（図２）に対して連結する連結部156を有している。図３の実施形態では、該連結部156は、湾曲部分104の第１の端部120のねじ126を受容するタップが切られた穴を含む。該第２の端部152は、湾曲部分104と直線部分106との間で連結部126,156上に延びる補強部材158を有している。該補強部材158は、湾曲部分104と直線部分106との間の接合を強化するものである。図１及び図３の実施形態では、該補強部材158は、湾曲部分104及び直線部分106におけるねじ126上に延び、これによりそれらの接合の強度が増大される。補強部材158は、直線部分106と一体的に形成することが可能である。例えば、直線部分106は、補強部材158を含む型から形成することが可能である。
【００１２】
連結部126及び連結部156は、湾曲部分104及び直線部分106が連結された際にそれらを互いに対して所定の構成に位置決めするよう構成することが可能である。例えば、連結部126,156をねじを用いる場合、該ねじは、湾曲部分104及び直線部分106がねじ込まれた際にそれらを図１に示すように位置合わせすることが可能である。これと同じ位置合わせを達成するためにピンその他の装置を使用することが可能である。
【００１３】
直線部分106の第１の端部150にはマッサージ要素160が取り付けられる。図３に示すマッサージ要素はボールであるが、本書で説明するように、異なるタイプのマッサージ要素を該第１の端部150に取り付けることが可能である。実施形態によっては、該マッサージ要素は、湾曲部分104の第２の端部122（図２）にマッサージ要素が取り付けられる態様と類似又は同一の態様で、第１の端部150に対して取り外し可能となるよう接続することが可能である。例えば、該第１の端部150にマッサージ要素をねじ込むことが可能である。
【００１４】
直線部分106は、そこから延びる第２のハンドル162を有する。該第２のハンドル162は、図２の第１のハンドル134と実質的に同様のものとすることが可能である。例えば、第２のハンドル162は、直線部分106から取り外し可能とすることが可能である。第１のハンドル134と同様に、第２のハンドル162には、マッサージ要素164を取り付けることが可能となっている。該マッサージ要素164は、図３に示すようにボールとすることが可能であり、又は他のタイプのマッサージ要素とすることが可能である。ボールその他のマッサージ要素164は、マッサージャ100の使用時にユーザが第２のハンドル162を固定するのを助ける。該マッサージ要素164はまた、ユーザが該マッサージ要素164で筋肉をマッサージすることを可能にする。簡単に上述したように、実施形態によっては、第２のハンドル162は、直線部分106から取り外し可能とすることが可能である。例えば、第２のハンドル162は、直線部分106のテーパー付きの穴にねじ込まれるねじ部分を有することが可能である。実施形態によっては、第２のハンドル162は、図１に示すように直線部分106が湾曲部分104に対して取り付けられた際に第１のハンドル134と実質的に平行に延びる。
【００１５】
直線部分106は、そこに取り付けられる複数の更なるマッサージ要素を有することが可能である。図３の実施形態では、直線部分106は、２つの更なるマッサージ要素を有しており、これらを第１のマッサージ要素170及び第２のマッサージ要素172と称する。該第１及び第２のマッサージ要素170,172は、図３ではボールとして示されている。しかし、それらは、後述するように他のタイプのマッサージ要素とすることが可能であることに留意されたい。他のマッサージ要素のように、第１及び第２のマッサージ要素170,172は、取り外し可能とすることが可能である。例えば、それらを直線部分106にねじ込むことが可能である。
【００１６】
図１を参照すると、マッサージャ100は、複数の異なる材料から形成することが可能である。多くの実施形態では、該材料は、実質的に剛性又は半剛性を有するものであり、プラスチック又はガラス充填ナイロンから作成することが可能である。本書で説明するマッサージャ100及びマッサージ要素は、成形プロセスにより形成することが可能である。
【００１７】
マッサージャ100の幾つかの実施形態について説明してきたが、ここで、様々なマッサージ要素の実施形態について説明することとする。図４を参照する。同図は、別個の湾曲部分104及び直線部分106に加えて、該湾曲部分104及び直線部分106に対して取り付けられる幾つかのマッサージ要素を示す、マッサージャ100の斜視図である。図４は、湾曲部分104の第２の端部122に対して取り付けることが可能な４つの異なるマッサージ要素180を示している。該マッサージ要素180は、小ボール182、中ボール184、大ボール186、及びローラ188を含む。該マッサージ要素180は、マッサージャ100に付随する複数のマッサージ要素の何れを使用すること又はそれらと置換することが可能なものであり、また湾曲部分104の第２の端部122への取り付けに限定されるものではない、ということに留意されたい。
【００１８】
中ボール184の更なる詳細が図５に示されている。該中ボール184は、寸法が異なることを除き、図４のボール182,184,186の全てを表すものである。該ボール184は、実質的に球形又は少なくとも部分的に球形とすることが可能なヘッド192を含む。該ヘッド192は、約25.4mm（1インチ）の直径を有することが可能である。実施形態によっては、小ボール182は、約22.2mm（0.875インチ）の直径を有するヘッドを有し、大ボール186は、約28.6mm（1.125インチ）の直径を有するヘッドを有する。
【００１９】
ヘッド192は、ヘッド192と表面194との間の遷移部分であるテーパー付き部分193に当接することが可能である。該表面194は、該ボール184が取り付けられる場所に隣接して直線部分106（図１）又は湾曲部分104（図１）の何れかと接触するよう構成される。該表面194からシャフト196が延びることが可能である。該シャフト196は、該ボール184を直線部分106又は湾曲部分104に更に固定する働きをする。ねじ198が該シャフト196から延び、又はねじ山198を該シャフト196に切ることが可能である。実施形態によっては、該ねじ198が表面194まで延びてシャフト196が存在しないことが可能であることに留意されたい。
【００２０】
ボール184は、直線部分106又は湾曲部分104上の所定位置までねじ込まれる。例えば、図４に示すように、ボール184は、湾曲部分104の第２の端部122内にねじ込むことが可能である。該第２の端部122内の対応するねじ山は、シャフト196の長さに対応して、第２の端部122を越えて距離を置いて配置することが可能である。ねじ山を第２の端部122内に配置することにより、使用中にボール184が移動し又は揺動する可能性が低くなり、シャフト196の長さにわたってのみねじ山198が存在する場合よりも一層大きな力に耐えることが可能となる。実施形態によっては、テーパー付き部分193は、そこから延びて、ユーザがボール184を湾曲部分104及び直線部分106へねじ込むのを容易にする、タブ200を有する。
【００２１】
ローラ188の一層詳細な図が図６に示されており、同図は、ローラ188の斜視図である。ローラ188は、ホイール212を支持するフレーム210を含む。既述のように、該ホイール212は、該フレーム210内で他のマッサージ要素と置換することが可能である。該フレーム210は、図５のボール184の表面194と類似しまたはそれと同一の表面216を有する。同様に、該フレーム210は、図５のボール184のシャフト196及びねじ山198と類似し又はそれらと同一のシャフト218及びねじ山220を有する。したがって、ローラ188は、ボール180と類似しまたはそれらと同一の態様で、マッサージャ100の湾曲部分104及び直線部分106にねじ込むことが可能となっている。
【００２２】
ホイール212は、滑らかなものとして図示されている。ホイール212の別の実施形態は、そこから延びる複数の突起を有することが可能である。例えば、図８を参照すると、ホイール212は、そこから延びる複数の突起250を有することが可能である。該突起250は、例えば、筋肉を更にマッサージする瘤状部または尾根状部とすることが可能である。
【００２３】
フレーム210は、ホイール212を支持するよう延びる２つの部材224を有する。該部材224は、ピン又は車軸を受容する穴226を有する。ホイール212は、従来の態様で車軸228を中心として回転する。実施形態によっては、該車軸228を取り外し可能として、該フレーム210がホイール212の他の実施形態に適応するようにすることが可能である。車軸228は、該車軸228を図６のフレーム210に固定するタブ付き端部240を有する。該タブ付き端部240を両側から押圧すると、車軸228をフレーム210から取り外すことができ、これによりホイール212が解放される。該タブ付き端部240の形状により、車軸228をフレーム210内に容易に挿入することが可能となり、更に、ホイール212を他の装置に迅速に交換することが可能となる。
【００２４】
他のタイプのマッサージ要素をマッサージャ100に取り付けることが可能である。例えば、図９を参照すると、マッサージ要素を孫の手260にすることが可能である。該孫の手260は、それをマッサージャ100に取り付けることを可能にするコネクタを有する。図９の実施形態では、該コネクタは、他のマッサージ要素に関して上述したようにマッサージャにねじ込むことができるねじ山部分262である。該孫の手260は、そこから延びる複数の指264を有する。該指264は、ねじ山部分262が延びる方向と実質的に平行な方向に延びる。
【００２５】
孫の手270の第２の実施形態を図１０に示す。該孫の手270は、ねじ山部分272を含むが、他のタイプの連結手段を有することが可能である。該孫の手270は、ねじ山部分272が延びる方向と実質的に直交する方向に延びる複数のフィンガ274を有する。孫の手260,270は何れも、３つの指264,274をそれぞれ有しているが、任意数の指を有することが可能である、ということに留意されたい。
【００２６】
連結部156の別の実施形態が図１１に示されている。該連結部156は、直線部分106の第２の端部152から延びるロック用タブ280を含む。該ロック用タブ280には、突起282が形成されている。該ロック用タブ280は可撓性を有するものであり、前記突起282が直線部分106の第２の端部152と相対移動してその元の位置へと戻ることができるようになっている。
【００２７】
湾曲部分104は、前記突起282の少なくとも一部を受容する大きさを有する凹部286を第1の端部120に隣接して有している。突起282又は該突起282の少なくとも一部が凹部286内に配置されると、該湾曲部分104及び直線部分106がロックされる。より詳細には、ロック用タブ280は、該２つの部分104,106が互いにねじれて外れるのを防止する。湾曲部分104は、ロック用タブ280を持ち上げて凹部286から突起282を外すことにより、直線部分106からねじって外すことが可能となる。
【００２８】
凹部286のもう１つの実施形態を図１２に示す。同図は、湾曲部分104の断面図である。この実施形態では、凹部286は、傾斜部290及び壁部292を含む。湾曲部分104及び直線部分106が互いにねじ込まれる際に、突起282は、壁部292上で落下し、及び湾曲部分104の外面に接触する傾斜部290を滑動して上昇する。このため、ロック用タブ280は、湾曲部分104及び直線部分106が互いにねじ込まれる際には凹部286の外部へと持ち上げる必要はない。
【００２９】
湾曲部分104及び直線部分106が互いに外れる向きにねじれ始めると、突起282が壁部292に接触してそのねじれを妨げる。湾曲部分104及び直線部分106は、ねじって外す際に突起282を持ち上げることにより、互いにねじって外すことが可能となる。これは、湾曲部分104及び直線部分106が互いにねじ込まれた後にそれらを共に効果的にロックするものとなる。
【００３０】
湾曲部分104を直線部分106に対して固定するための別の実施形態を以下で説明する。図１３を参照すると、同図は、マッサージャの一実施形態の斜視図であり、連結機構300は、湾曲部分104を直線部分106に固定するための溝及び延長された突起を含むことが可能である。該連結機構300は、湾曲部分104及び直線部分106の両方からの連結部分を含む。以下で説明するように、このマッサージャ100の実施形態は、一方の部分に配置された延長された突起を受容するよう構成された他方の部分における溝を有する。図１３の実施形態では、該溝は湾曲部分104に配設され、該突起は直線部分106に配設される。
【００３１】
該マッサージャ100の第２の端部152の拡大図を図１４に示す。該第２の端部152は、湾曲部分104に配設された溝内に受容される（以下で説明する）延長された突起204を用いる連結部分200を有している。該連結部分200は、開口又はキャビティ202を含み、該キャビティ202内に突起204が延びている。実施形態によっては、該キャビティ202は、テーパーがついたものとなる。図１４の実施形態では、突起204は、細長くて、直線部分106の方向に延びているが、該突起204は細長いものである必要はない。実施形態によっては、突起は、細長い又は細長くない複数の突起から構成することが可能である。例えば、キャビティ202は、その内部に複数の突起を有することが可能である。
【００３２】
連結部分200はまた、キャビティ内へと延びる孔210を有する。該孔210を基部212が包囲する。該基部は、実質的に平坦なものとすることが可能であり、及び以下で詳述するように固定機構を支持する働きをすることが可能なものである。該孔210にねじ山を形成することが可能である。例えば、連結部分200内にねじ山を成形することが可能であり、又はねじが形成された挿入体を孔210内に固定することが可能である。該ねじ山は、以下で詳述するように、固定機構がねじである場合に用いられ、該ねじ山は該ねじを孔210内に維持する働きをする。
【００３３】
図１５は、直線部分106の第２の端部152の断面図である。図１５は、キャビティ202にテーパーが付けられている実施形態を示している。該テーパーは、該キャビティ202内への湾曲部分104の一層良好な係合を提供する。図示のように、該孔210は、該キャビティ202内へと貫通しており、固定機構が湾曲部分104に接触することを可能にする。
【００３４】
図１６は、湾曲部分104の第１の端部120の拡大図を示している。該第１の端部120は、図１５の直線部分106の連結部分200により受容されるよう構成されている。図示のように、該第１の端部120は、連結部分200のキャビティ202のテーパーと一致するテーパー部分218を有している。該第１の端部120には溝220が配設されている。該溝220は、連結部分200の突起204を受容するよう構成されている。このため、該溝220は、突起204について構成されたものである。
【００３５】
テーパー部分218の反対側が図１７に示されている。該テーパー部分218は、連結装置200の孔210を貫通する固定装置を受容するよう構成された孔224を含む。図１７の実施形態では、該孔224は、溝220の反対側に配置されている。
【００３６】
固定機構240の一実施形態が図１８に示されている。該固定機構240は、ヘッド242及びシャフト244を含む。該ヘッド242は、図１のマッサージャ100に配設される複数のマッサージ要素のうちの１つと実質的に同様のものとすることが可能である。該ヘッド242は、ユーザがヘッド242をマッサージャ100に固定する際に該ユーザが該ヘッド242をしっかりと握ることを可能にする複数の突起246を含むことが可能である。シャフト244には、図１４の孔210又は図１７の孔224内にねじ込まれるようねじを形成することが可能である。
【００３７】
マッサージャ100の構成要素について説明してきたが、ここで、その操作について説明することとする。マッサージャ100が２つの部分になっている場合には、それらを容易に収納し搬送することが可能となる。該マッサージャ100を使用すべき場合には、湾曲部分104の第１の端部120が直線部分106の連結部分200内に挿入される。その挿入時に突起204が溝220内に受容される。第１の端部120のテーパー部分218は、キャビティ202内に緊密に係合することを可能にする。２つの部分104,106が互いに取り付けられた際に、固定機構240が該マッサージャ100に固定される。図１７の実施形態では、固定機構240が、連結部分200の孔210内にねじ込まれて湾曲部分104の孔224内へと進入する。該固定装置240が堅く締め付けられると、湾曲部分104が直線部分106に対して固定される。
【００３８】
マッサージャ100の幾つかの実施形態について説明してきたが、ここで、該マッサージャ100の使用方法に関する実施形態について説明することとする。該マッサージャ100の一使用形態は、虚血性圧迫と呼ばれるものである。虚血性圧迫とは、指圧及びつぼ療法で用いられるものである。虚血性圧迫の目的は、一定領域に対する血液の遮断を意図的に増大させ、その解放時に血液の流れを再開させることにある。これにより、老廃物が一掃され、必要な酸素が供給され、及び患部組織の治癒が助けられる。この所定領域に対する血流の増大は、充血と呼ばれるものである。上述のマッサージ要素は、筋肉及びその類を圧縮して虚血性圧迫を生じさせるために使用されるものである。
【００３９】
虚血性圧迫の適用は、筋肉を弛緩させること及び筋肉を不快となる寸前まで伸張させることを伴うものである。ボール等のマッサージ要素を筋肉に直接押し当てて、耐えられる程度の痛み（10の痛み尺度で7-8）を伴う持続した圧力を生じさせる。不快感は弱まっていく傾向にあるので、より大きな圧力を加えることにより、圧力を徐々に増大させる。このプロセスを１分間続行する。筋肉の圧痛（tenderness）が続く場合には、該プロセスを繰り返すことが可能である。
【図１】
2013532526.tif 000003
【図２】
2013532526.tif 000004
【図３】
2013532526.tif 000005
【図４】
2013532526.tif 000006
【図５】
2013532526.tif 000007
【図６】
2013532526.tif 000008
【図７】
2013532526.tif 000009
【図８】
2013532526.tif 000010
【図９】
2013532526.tif 000011
【図１０】
2013532526.tif 000012
【図１１】
2013532526.tif 000013
【図１２】
2013532526.tif 000014
【図１３】
2013532526.tif 000015
【図１４】
2013532526.tif 000016
【図１５】
2013532526.tif 000017
【図１６】
2013532526.tif 000018
【図１７】
2013532526.tif 000019
【図１８】
2013532526.tif 000020
【国際調査報告】
2013532526.tif 000021
2013532526.tif 000022